(57)【要約】【目的】本発明は、プラグ本体のサイズはほとんど変えることなく、コンセント差込口から手軽に、しかも安全に引き抜くことができるコンセント用のプラグを提供することを目的とする。【構成】本発明は、先端に左電極端子の付いた左電極埋設部と先端に右電極端子の付いた右電極埋設部との間にバネ取付溝を設けたプラグ本体と、前記プラグ本体のバネ取付溝に菱形バネを設置したことを特徴とするワンタッチ式プラグの構成とした。【選択図】  図１
2005019288.tif 000002
【特許請求の範囲】
【請求項１】
先端に左電極端子の付いた左電極埋設部と先端に右電極端子の付いた右電極埋設部との間にバネ取付溝を設けたプラグ本体と、前記プラグ本体のバネ取付溝に菱形バネを設置したことを特徴とするワンタッチ式プラグ。
【発明の詳細な説明】
【０００１】
【発明の属する技術分野】
本発明は、屋内配線からコンセント差込口を通じて電気を供給するためのプラグに関する発明である。
【０００２】
【従来の技術】
従来のプラグは、電気機器などから延びた電源コードの先にあるプラグ本体に左電極端子及び右電極端子が付いているだけのもので、コンセント差込口に接続することで、左右電極端子から電源コード内部の電線を通じて電気機器などに電気を供給していた。
【０００３】
公開特許公報に記載されている特許公開番号特開平０９−２８３２０５「電源プラグおよび電源コンセント」のように、左右電極端子をカバーで覆うことにより感電事故を防止する発明や、特許公開番号特開昭５７−１９６４８５「プラグ」のように、プラグ本体の側面に取り付けた操作レバーによりてこの原理を利用して引き抜く発明なども存在する。
【０００４】
【発明が解決しようとする課題】
プラグ本体を手で掴んで引き抜く場合、コンセント差込口の垂直方向ではなく斜めに引き抜いてしまうと、コンセント差込口や左右電極端子を傷めてしまったりする。プラグ本体の形状は様々あり、中には掴みにくいため引き抜くのに力を要したり、電源コードを引っ張って抜いてしまう場合もある。
【０００５】
てこの原理を利用して引き抜く仕組みを側面等に付けた場合は、プラグ本体のサイズが若干大きくなってしまう。操作レバーに何か物が当たった場合にコンセント差込口から抜けてしまう可能性も考えられる。
【０００６】
また、プラグをコンセント差込口に長時間差したままにしておくと、左電極端子と右電極端子との間にほこりが溜まり、湿気を帯びたほこりに電流が流れることで発火するというトラッキング現象が起こる危険性もある。
【０００７】
そこで、本発明は、プラグ本体のサイズはほとんど変えることなく、コンセント差込口から手軽に、しかも安全に引き抜くことができるコンセント用のプラグを提供することを目的とするものである。
【０００８】
【課題を解決するための手段】
本発明は、上記の課題を解決するために、先端に左電極端子の付いた左電極埋設部と先端に右電極端子の付いた右電極埋設部との間にバネ取付溝を設けたプラグ本体と、前記プラグ本体のバネ取付溝に菱形バネを設置したことを特徴とするワンタッチ式プラグの構成とした。
【０００９】
【実施例】
以下に、添付図面に基づいて、本発明である「ワンタッチ式プラグ」について詳細に説明する。
【００１０】
図１は、本発明である「ワンタッチ式プラグ」の未使用時の状態を示す斜視図である。ワンタッチ式プラグ１は、左電極端子３及び右電極端子３ａの付いたプラグ本体２、菱形バネ４、電源コード５からなる。
【００１１】
プラグ本体２は、押圧部２ａ、左電極埋設部２ｂ及び右電極埋設部２ｃ、コード接続部２ｆからなる。左電極埋設部２ｂと右電極埋設部２ｃの間には、菱形バネ４を取り付けるためのバネ取付溝２ｅが空けられ、バネ取付面２ｄに菱形バネ４が取り付けられる。
【００１２】
左電極埋設部２ｂには左電極端子３、右電極埋設部２ｃには右電極端子３ａがそれぞれ埋め込まれ固定されている。コード接続部２ｆには電源コード５が接続されている。
【００１３】
プラグ本体２は、従来と同様、人が触っても感電しないように電気を通さない材質で出来ている。左右電極端子３、３ａをそれぞれ左右電極埋設部２ｂ、２ｃにおいて固定するため、堅い材質でなければならない。プラグ本体２のサイズについては、従来とほぼ同様の大きさである。
【００１４】
押圧部２ａは、ワンタッチ式プラグ１をコンセント差込口に差し込む時に指で押さえる部分である。指で掴むだけの広さが必要であり、若干窪みを設けたり、滑りにくい材質を使用することで、指の滑りを抑えることができる。
【００１５】
左右電極埋設部２ｂ、２ｃは、左右電極端子３、３ａがそれぞれ埋め込まれている部分で、菱形バネ４を設けるために二股に分かれている。両側から指で押したり開こうとしても変形しない程度の硬度が必要である。
【００１６】
バネ取付面２ｄは、菱形バネ４を取り付けるために後方に窪ませた面である。左右電極端子３、３ａが出ている面よりへこんでいるため、左電極端子３と右電極端子３ａとの間にほこりが溜まるのを抑えることができる。
【００１７】
バネ取付溝２ｅは、菱形バネ４を設けるために空けた空間である。使用していない状態の菱形バネ４が左右電極端子３、３ａを接続している面よりはみ出ないだけの空間を確保することが必要である。
【００１８】
コード接続部２ｆは、プラグ本体２と電源コード５を接続している部分である。電源コード５を固定しているが、付け根の辺りは強度が弱くなるため、内部の電線が切れたりしないように表面を覆って補強している。
【００１９】
左電極端子３及び右電極端子３ａは、コンセント差込口に差し込まれる部分で、プラグ本体２内部で電線に繋がっている。コンセント差込口から左右電極端子３、３ａを通して取得した電気は、電源コード５内部の電線を通って電気機器等に供給される。
【００２０】
左右電極端子３、３ａは、従来と同様に金属等の材質で、形状や間隔は日本国内の規格に合ったものである。また、左右電極端子３、３ａとコンセント差込口とは形状や間隔が合致している必要がある。
【００２１】
菱形バネ４は、上側前面４ａ、上側後面４ｂ、下側後面４ｃ、下側前面４ｄからなる。板状のものを折り曲げて菱形にしたもので、各面は硬度があり、変形しにくい材質である。
【００２２】
電源コード５は、コンセント差込口から取得した電気を電気機器などに供給する。電源コード５の内部は電線で、人が触っても感電しないように周りを電気を通さない材質で覆っている。
【００２３】
電源コード５は、屋内を自由に移動したり、収納したりするために柔軟に曲がる必要がある。内部の電線を保護する目的もあるので、電線に負担がかからない程度の太さも必要である。
【００２４】
電源コード５は、束ねた状態で使用すると放熱が妨げられて発火することもあるので、収納時以外は出来るだけ電源コード５同士を密着させないように使用する必要がある。
【００２５】
図２は、本発明である「ワンタッチ式プラグ」の菱形バネを使用した状態を示す斜視図である。菱形バネ４を上下から挟むように押すことで、菱形バネ４がコンセント差込口の方向に伸び、ワンタッチ式プラグ１を押し上げる。
【００２６】
ワンタッチ式プラグ１をコンセント差込口に差し込む際は押圧部２ａを持ち、コンセント差込口と垂直方向に左右電極端子３、３ａを奥まで差し込む。左右電極端子３、３ａが奥まで入ると先端の穴が奥の突起に引っ掛かり固定される。
【００２７】
ワンタッチ式プラグ１をコンセント差込口から引き抜くには、コンセント差込口の奥の突起から左右電極端子３、３ａの先端の穴を外せば、容易に引き抜くことができる。
【００２８】
菱形バネ４を横に伸ばすことにより、コンセント差込口の反対側へワンタッチ式プラグ１を押し出すことができる。押圧部２ａを持って引き抜く時より小さい力で左右電極端子３、３ａの引っ掛かりを外すことが可能となる。
【００２９】
菱形バネ４がワンタッチ式プラグ１を押し出す方向は、常にコンセント差込口の垂直方向であるため、押圧部２ａを持って引き抜く時よりも、左右電極端子３、３ａやコンセント差込口を傷めてしまう可能性は少ない。
【００３０】
菱形バネ４の菱形の頂点となる折れ曲がった箇所は、使用時には頂点の角度がよく変わる上に、最も力が加わる場所でもあるので、角が潰れにくいものであることが必要である。
【００３１】
菱形バネ４は、指で押す部分であるため、電気を通さない材質である。また、ワンタッチ式プラグ１が熱を持ってしまった場合でも、熱くないように熱を通しにくい材質であることも必要である。
【００３２】
図３は、本発明である「ワンタッチ式プラグ」の未使用時の状態を示す正面図である。菱形バネ４の各頂点を上頂点４ｅ、後頂点４ｆ、下頂点４ｇ、前頂点４ｈとする。
【００３３】
バネ埋込部２ｇは、菱形バネ４のうちプラグ本体２のバネ取付面２ｄに固定するため埋め込んだ部分である。菱形バネ４はバネ取付面２ｄにおいて固定されるため、上頂点４ｅ、下頂点４ｇが押された時、前頂点４ｈがコンセント差込口の方向に伸びていく。
【００３４】
左電極端子３と右電極端子３ａとの間隔は一定なので、左右電極埋設部２ｂ、２ｃがそれぞれ左右電極端子３、３ａを固定できるだけの幅を確保した上での間隔のみが、バネ取付溝２ｅの幅として利用できる。菱形バネ４はバネ取付溝２ｅの幅より小さい範囲の幅でのみ使用可能となる。
【００３５】
菱形バネ４の幅は、指の太さより狭くなるので、菱形バネ４はプラグ本体２の高さまで押すことができる。菱形バネ４の上下に突起等を付けて押すようにすれば、さらに菱形バネ４を伸ばすことも可能となる。
【００３６】
火災の原因にもなるトラッキング現象は、左電極端子３と右電極端子３ａの間にほこりが溜まり湿気を帯びることで、左電極端子３と右電極端子３ａの間に電気が流れるようになり発生する。
【００３７】
左電極端子３と右電極端子３ａの間に隙間が出来ることで、ほこりは溜まりづらくなるし、通気性も多少良くなると考えられるので、トラッキング現象を抑える効果が期待できる。
【００３８】
図４は、本発明である「ワンタッチ式プラグ」の未使用時の状態を示す側面図である。ワンタッチ式プラグ１をコンセント差込口に差し込む前の状態を示す図である。
【００３９】
プラグ本体２は、左電極端子３が付いている左電極埋設部２ｂと右電極端子３ａが付いている右電極埋設部２ｃの間において菱形バネ４を取り付けるためにバネ取付面２ｄまで窪んでいる。
【００４０】
左電極埋設部２ｂと右電極埋設部２ｃの間には菱形バネ４が取り付けられ、バネ取付面２ｄにおいてバネ埋込部２ｇを埋め込んで固定している。上頂点４ｅ及び下頂点４ｇは、菱形バネ４を押すためにプラグ本体２の上下に出ていなければならない。
【００４１】
菱形バネ４を使用していない状態では、前頂点４ｈは左右電極端子３、３ａの根元部分の位置まではみ出してはいないので、左右電極端子３、３ａが奥まで入るのを妨げることはない。
【００４２】
プラグ本体２が地面に置かれたりする場合、下頂点４ｇが当たり菱形バネ４を押してしまう可能性があるが、プラグ本体２の側面の高さを高くし、菱形バネ４付近のみ窪ませることで回避できる。プラグ本体２の上に物が乗ってしまう場合も同様である。
【００４３】
図５は、本発明である「ワンタッチ式プラグ」のコンセント差込口に接続した状態を示す側面図である。ワンタッチ式プラグ１がコンセント差込口６ａから外される前の状態を示す図である。
【００４４】
屋内の壁６にコンセント差込口６ａが設けられた状態において、ワンタッチ式プラグ１をコンセント差込口６ａに差し込んだ状態である。ワンタッチ式プラグ１は、左右電極端子の先端の穴が奥に引っ掛かり固定されている。
【００４５】
コンセント差込口６ａには左電極端子を差すための穴と右電極端子を差すための穴が空いていて、奥に左右電極端子を固定するための突起が付いている。コンセント差込口６ａの穴の部分及びその周辺は電気を通さない材質で出来ている。
【００４６】
ワンタッチ式プラグ１をコンセント差込口６ａに差し込んだ時は、菱形バネ４の前頂点４ｈは左右電極端子の根元と同じ位置に来るので、この位置で菱形バネ４の形状を固定できるようにしておくと、ワンタッチ式プラグ１がコンセント差込口６ａから誤って抜けてしまうことを防ぐことができる。
【００４７】
ワンタッチ式プラグ１は、左右電極端子の根元までしっかり差し込まれることが必要である。隙間があると接触不良により発熱したり、ほこりが溜まってトラッキング現象を引き起こす可能性がある。
【００４８】
ワンタッチ式プラグ１のサイズが大きくなると重みで傾いたりするので、しっかりと差し込んでおくことが出来なくなってくる。プラグ本体２は従来と同様の大きさで実現できるので、サイズについての問題はない。
【００４９】
図６は、本発明である「ワンタッチ式プラグ」のコンセント差込口から引き抜く途中の状態を示す側面図である。菱形バネ４を上下から押すことによりワンタッチ式プラグ１が抜けていく状態を示す図である。
【００５０】
上圧力７及び下圧力７ａは、菱形バネ４を上下から指で挟んで力を加えている状態を示している。菱形バネ４に対して上圧力７及び下圧力７ａを加えることで、菱形が縦に縮み、横に長くなる。上頂点４ｅ、後頂点４ｆ、下頂点４ｇ、前頂点４ｈはそれぞれ上頂点４ｉ、後頂点４ｊ、下頂点４ｋ、前頂点４ｌへと移動していく。
【００５１】
菱形バネ４はバネ埋込部２ｇで固定されているため、コンセント差込口６ａの方向に伸びていく。伸びた菱形バネ４がコンセント差込口６ａを押すことで、ワンタッチ式プラグ１が引き抜かれる。
【００５２】
押圧部２ａを持って引き抜く場合、プラグ本体２がコンセント差込口６ａに堅く差さっていると、プラグ本体２を多少上下に揺らしたり、力を入れて引き抜かなければならなくなる。
【００５３】
菱形バネ４を使用すれば、プラグ本体２を上下に揺らしたり、引き抜く力をそれ程大きくすることなく、コンセント差込口６ａの垂直方向にプラグ本体２を押し出すことができる。
【００５４】
コンセント差込口６ａがテーブルタップ等のように壁６に固定されていない場合でも、菱形バネ４を押せばコンセント差込口６ａから引き抜いてくれるので、テーブルタップ等を手で押さえておく必要はない。
【００５５】
図７は、本発明である「ワンタッチ式プラグ」のコンセント差込口から引き抜いた後の状態を示す側面図である。菱形バネ４を使用してワンタッチ式プラグ１を外した状態を示す図である。
【００５６】
菱形バネ４に対して上圧力７及び下圧力７ａを加え続けると、上頂点４ｅ、後頂点４ｆ、下頂点４ｇ、前頂点４ｈはそれぞれ上頂点４ｉ、後頂点４ｊ、下頂点４ｋ、前頂点４ｌへと移動する。
【００５７】
左電極端子３及び右電極端子３ａをコンセント差込口６ａの内部の引っ掛かりから外すことができるまで、ワンタッチ式プラグ１をコンセント差込口６ａの反対側に押し出せば、簡単に手で引き抜くことができる。
【００５８】
菱形バネ４に対する上圧力７及び下圧力７ａを弱めることで、菱形バネ４の横の伸びは小さくなる。菱形バネ４がバネ埋込部２ｇで固定されているため、プラグ本体２の方向に縮み、指を離すと完全に元の位置にまで戻る。
【００５９】
本発明である「ワンタッチ式プラグ」は、片手で菱形バネを１回押すだけで、ワンタッチ式プラグ１を容易に引き抜くことができるという手軽さが最大の特徴である。
【００６０】
図８は、従来のプラグの斜視図である。プラグ８は、左電極端子１０及び右電極端子１０ａの付いたプラグ本体９と電源コード１１からなる。
【００６１】
プラグ本体９は、押圧部９ａ、電極接続部９ｂ、コード接続部９ｃからなる。電極接続部９ｂに左電極端子１０及び右電極端子１０ａが固定されていて、コード接続部９ｃに電源コード１１が接続されている。
【００６２】
プラグ本体９及び電源コード１１は、人が触っても感電しないように電気を通さない材質で出来ている。プラグ本体９は、左電極端子１０及び右電極端子１０ａを固定するため堅い材質である。
【００６３】
電源コード１１は、コンセント差込口と電気機器等を繋ぐための線で、屋内を自由に移動したり、収納したりするために柔軟に曲がる必要がある。内部の電線を保護する目的もあるので、電線に負担がかからない程度の太さも必要である。
【００６４】
電源コード１１は、束ねた状態で使用すると放熱が妨げられて発火することもあるので、収納時以外は出来るだけ電源コード１１同士を密着させないように使用する。
【００６５】
左電極端子１０及び右電極端子１０ａは、プラグ本体９内部で電線に繋がっている。コンセント差込口から左電極端子１０及び右電極端子１０ａを通して取得した電気は、電源コード１１内部の電線を通って電気機器等に供給される。
【００６６】
プラグ本体９は押圧部９ａを指で持ってコンセント差込口に差し込む。左電極端子１０及び右電極端子１０ａが差し込まれると、先端の穴が奥の突起にはまり固定される。
【００６７】
左電極端子１０及び右電極端子１０ａの形状、間隔は一定であるが、プラグ本体９の形状は様々である。押圧部９ａが小さい場合はコード接続部９ｃを持って使用してもよい。
【００６８】
プラグ本体９をコンセント差込口から取り外す時は、押圧部９ａを指で押さえて引き抜く。テーブルタップなど固定されていない場合は、テーブルタップなどを押さえながら引き抜かなければならない。
【００６９】
押圧部９ａは、掴み易さと滑りにくさを備えていないと、容易に引き抜くことができない。電源コード１１を引っ張って引き抜くと、コード接続部９ｃ付近で内部の電線が切断されたり、電源コード１１自体が取れたりしてしまう危険性もある。
【００７０】
プラグ本体９の引き抜き方が悪いと、左電極端子１０又は右電極端子１０ａが曲がったりして、コンセント差込口への差込みがきつくなったり、接触不良になってしまったりする。
【００７１】
電極接続部９ｂは、左電極端子１０と右電極端子１０ａとの間がへこんでいないため、ほこりが溜まる可能性がある。溜まったほこりが湿気を帯びるとトラッキング現象が起きやすくなる。差込みが浅く接触不良になっているとさらに危険度が増す。
【００７２】
【発明の効果】
本発明は、以上に説明したように、以下の効果が得られる。第１に、プラグをコンセント差込口から引き抜く際に菱形バネを使用することで、従来よりも軽い力で済み、容易に引き抜くことができる。
【００７３】
第２に、菱形バネを使用することによりコンセント差込口に対して垂直方向に引き抜くことができ、プラグの左右電極端子やコンセント差込口を傷めずに使用することができる。
【００７４】
第３に、左電極埋設部と右電極埋設部との間に菱形バネを取り付けるためのバネ取付溝があることで、左電極端子の付け根と右電極端子の付け根との間にほこりが溜まることで発生するトラッキング現象を抑える効果があり、安全に使用することができる。
【図面の簡単な説明】
【図１】本発明である「ワンタッチ式プラグ」の未使用時の状態を示す斜視図である。
【図２】本発明である「ワンタッチ式プラグ」の菱形バネを使用した状態を示す斜視図である。
【図３】本発明である「ワンタッチ式プラグ」の未使用時の状態を示す正面図である。
【図４】本発明である「ワンタッチ式プラグ」の未使用時の状態を示す側面図である。
【図５】本発明である「ワンタッチ式プラグ」のコンセント差込口に接続した状態を示す側面図である。
【図６】本発明である「ワンタッチ式プラグ」のコンセント差込口から引き抜く途中の状態を示す側面図である。
【図７】本発明である「ワンタッチ式プラグ」のコンセント差込口から引き抜いた後の状態を示す側面図である。
【図８】従来のプラグの斜視図である。
【符号の説明】
１        ワンタッチ式プラグ
２        プラグ本体
２ａ      押圧部
２ｂ      左電極埋設部
２ｃ      右電極埋設部
２ｄ      バネ取付面
２ｅ      バネ取付溝
２ｆ      コード接続部
２ｇ      バネ埋込部
３        左電極端子
３ａ      右電極端子
４        菱形バネ
４ａ      上側前面
４ｂ      上側後面
４ｃ      下側後面
４ｄ      下側前面
４ｅ      上頂点
４ｆ      後頂点
４ｇ      下頂点
４ｈ      前頂点
４ｉ      上頂点
４ｊ      後頂点
４ｋ      下頂点
４ｌ      前頂点
５        電源コード
６        壁
６ａ      コンセント差込口
７        上圧力
７ａ      下圧力
８        プラグ
９        プラグ本体
９ａ      押圧部
９ｂ      電極接続面
９ｃ      コード接続部
１０      左電極端子
１０ａ    右電極端子
１１      電源コード
【図１】
2005019288.tif 000003
【図２】
2005019288.tif 000004
【図３】
2005019288.tif 000005
【図４】
2005019288.tif 000006
【図５】
2005019288.tif 000007
【図６】
2005019288.tif 000008
【図７】
2005019288.tif 000009
【図８】
2005019288.tif 000010